(57)【要約】      （修正有）【課題】警報器の表示部において、導光部に拡散率の低い材料を用いることにより、光の散乱および混合を防止し、さらに、内部構造が透けて見えることを防止する。【解決手段】筐体１と、筐体内部に発光素子４a〜ｃと、光を表示部へ導く導光部３とを有する警報器であって、隣接する光の影響を避けるため、導光部３に透明性の高い材料を使用し、かつ光路をセパレートする遮蔽部材５ａ〜ｃを設け、また、内部構造を隠すため、導光部３の周囲の遮蔽部材５ａ〜ｃに明度の低い色の材料を使用する。【選択図】図２
2013239121.tif 000002
【特許請求の範囲】
【請求項１】
一つ以上の検出対象をそれぞれ検出する検出部と、該検出部の検出結果および機器の通電状態を報知する発光素子と、該発光素子からの光を外部へ表示する表示部と、前記検出部および前記発光素子ならびに前記表示部を収納する筐体とを備えた警報器において、
前記発光素子からの光を前記表示部へ集光する一つの導光部を設け、
該導光部は、透明材料または半透明材料で構成され、かつ各前記発光素子の近傍までそれぞれ突出する筒状導光部を有し、
それぞれの該筒状導光部の周囲には、前記筒状導光部を覆うように遮蔽部材が設けられており、
該遮蔽部材は、黒色または灰色で構成されていることを特徴とする警報器。
【請求項２】
請求項１に記載の警報器において、
前記表示部には、光を散乱させるシボ加工が施されていることを特徴とする警報器。
【請求項３】
請求項１または２に記載の警報器において、
前記遮蔽部材が筒状であり、
前記筒状導光部が、前記遮蔽部材へ嵌合して収容されることを特徴とする警報器。
【請求項４】
請求項１ないし３のいずれか１項に記載の警報器において、
前記遮蔽部材のうち、前記表示部の近傍部分のみが黒色または灰色で構成されていることを特徴とする警報器。
【発明の詳細な説明】
【技術分野】
【０００１】
本発明は、ガス漏れ、不完全燃焼、火災の発生等の少なくとも１つの検出対象物の異常を検出して警報を発する警報器に関する。
【背景技術】
【０００２】
一般に、警報器としては、不完全燃焼に伴って生じる一酸化炭素（ＣＯ）ガスおよび漏洩したガスの濃度が所定警報濃度以上であることを検知して警報を発するガス警報器や、室内の温度変化から火災の発生を検出して警報を発する火災警報器のほか、ガス警報器と火災警報器が一体化した複合型の警報器などがある。
【０００３】
このような警報器では、内部にＬＥＤを備えている。また、その外表面には表示部が設けられている。利用者等は、この表示部を通して警報器内部のＬＥＤの点灯、消灯、または点滅などの点灯状態を視認する。これにより、利用者等は、警報器の通電（正常作動）状態やガス漏れ検出状態などを認識することができる。
【０００４】
例えば、従来のガス警報器では、通電状態の「緑色」、ＣＯ警報の「黄色」、ガス警報の「赤色」の順で一列に発光素子（ＬＥＤ）が表示灯として内部に配列されている。
このとき、特許文献１では、各発光素子からの光が表示部に到達するまでのそれぞれの光路に、略直方体の導光部が形成されている。これら複数の導光部は、表示部から発光素子の近傍までそれぞれ柱状に構成されている。各発光素子からの光は、それぞれの導光部を通じて表示部に導かれ、警報状態を外部へ表示する構造となっている。
【０００５】
また、特許文献２では、各発光素子からの光を、一つの導光部によって表示部へ導き、警報状態を外部へ表示する構造となっている。
【先行技術文献】
【特許文献】
【０００６】
【特許文献１】特開２００５−３１６５４０号公報
【特許文献２】特開２００５−１８１７４号公報
【発明の概要】
【発明が解決しようとする課題】
【０００７】
しかし、このような従来の警報器には、以下のような問題があった。
特許文献１のように、複数の導光部を発光素子ごとに使用すると、部品点数および製作工数の増加によるコストアップにつながってしまう。
【０００８】
また、特許文献２は、一つの導光部を使用しているが、導光部には拡散率の高い材料を使用している。そのため、導光部内では光が散乱してしまう。その結果、近くの色の表示部まで光が散乱および伝達され、他の色の表示部を光らせてしまう問題や、距離の近い光同士が混ざり合うという問題が生じていた。
【０００９】
例えば、上述のように緑色、黄色、赤色の一列に発光素子が配列された警報器の表示部では、緑色（通電状態）は常時点灯している。そして、ガス漏れを検出すると赤色（ガス警報）が点灯する。このとき、緑色と赤色との同時点灯の状態となる。しかし、光の散乱が生じて緑色の光と赤色の光と混合されると、２色の間に黄色の光が合成される。この黄色の合成光は、ＣＯ警報の表示位置に、警報時と同じ色で発生してしまう。
【００１０】
すなわち、色の干渉によって、利用者等がＣＯ警報の有無を明確に識別できなくなるという危険な問題が生じていた。特に、ガス漏れや火災などは人命に関わる危険な状況であるため、正確な識別ができないことは非常に重大な問題であった。
【００１１】
さらに、一つの導光部に透明または拡散率の低い材料を使用した場合には、表示部を通じて外部から製品内部が透けて見えてしまい、見栄えが悪くなってしまう。そのため、内部の透けて見える箇所に目隠し部材を使用する必要があり、材料点数増加によるコストアップの問題が生じていた。
【００１２】
そこで、本発明の目的は、上記の問題を解決するために、一つの導光部を使用した場合に、発光素子同士の光の干渉を防止するとともに、警報器の内部構造が外部から透けて見えることを防止することである。
【課題を解決するための手段】
【００１３】
上記の目的を達成するために、本発明によれば、一つ以上の検出対象をそれぞれ検出する検出部と、該検出部の検出結果および機器の通電状態を報知する発光素子と、該発光素子からの光を外部へ表示する表示部と、前記検出部および前記発光素子ならびに前記表示部を収納する筐体とを備えた警報器において、前記発光素子からの光を前記表示部へ集光する一つの導光部を設け、該導光部は、透明材料または半透明材料で構成され、かつ各前記発光素子の近傍までそれぞれ突出する筒状導光部を有し、それぞれの該筒状導光部の周囲には、前記筒状導光部を覆うように遮蔽部材が設けられており、該遮蔽部材は、黒色または灰色で構成されていることを特徴とする警報器とする。
【００１４】
また、本発明によれば、上記の構成において、前記表示部には、光を散乱させるシボ加工が施されていることを特徴とする警報器する。
また、本発明によれば、上記の構成において、前記遮蔽部材が筒状であり、前記筒状導光部が、前記遮蔽部材へ嵌合して収容されることを特徴とする警報器とする。
【００１５】
また、本発明によれば、上記の構成において、前記遮蔽部材のうち、前記表示部の近傍部分のみが黒色または灰色で構成されていることを特徴とする警報器とする。
【発明の効果】
【００１６】
本発明によれば、一つの導光部を使用した場合であっても、発光素子同士の光の干渉が防止されるとともに、警報器の内部構造が外部から透けて見えることが防止された警報器を実現できる。
【図面の簡単な説明】
【００１７】
【図１】本発明の実施例の警報器の外観の全体図である。
【図２】本発明の実施例の警報器のＡ−Ａ線断面図である。
【図３】本発明の実施例の警報器のＢ−Ｂ線断面図である。
【図４】本発明の実施例の警報器の光の伝わりを示した図である。
【図５】本発明の実施例の警報器に拡散率の高い材料を使用した場合の光の伝わりを比較例として示した図である。
【図６】本発明の実施例の変形例を示した図である。
【発明を実施するための形態】
【００１８】
以下に、図面を参照しながら、本発明の実施の一形態について説明する。ただし、以下の記載は、あくまでも本発明の例示であり、これに限定されるものではない。つまり、当分野で通常の知識を有する者によって、本発明の技術的思想内で多くの変形実施を行うことが可能である。
【実施例】
【００１９】
〔本発明の実施例の警報器の外部構成：図１（外観の全体図）〕
最初に、図１〜３により、本発明の実施例の警報器の構成を説明する。
図１は、本発明の実施例の警報器の外観の全体図を示している。１は筐体、２は表示部、７はセンサ部、８は発報部である。
【００２０】
図１は、ガスおよび一酸化炭素（ＣＯ）を検出する複合型のガス警報器である。外形は筐体１で構成されており、正面には警報器の状態を表示する表示部２が設けられている。筐体１の内部には、ＣＯやガス漏れを検出する検出部としてのセンサ部７と、このガスセンサがＣＯやガス漏れを検出したときに所定の警報動作を行わせる制御部（図示せず）と、警報動作として警報音を発報する発報部８と、警報動作を外部へ表示するための点灯や点滅を行う発光素子（後述）とが収納されている。
【００２１】
〔本発明の実施例の警報器の内部構成：図２（Ａ−Ａ線断面図）および図３（Ｂ−Ｂ線断面図）〕
図２は、本発明の実施例の警報器のＡ−Ａ線断面図である。図３は、本発明の実施例の警報器のＢ−Ｂ線断面図である。２ａは表示部（緑色）、２ｂは表示部（黄色）、２ｃは表示部（赤色）、３は導光部、４ａは発光素子（緑色）、４ｂは発光素子（黄色）、４ｃは発光素子（赤色）、５ａ〜ｃは遮蔽部材、６ａは筒状導光部（緑色）、６ｂは筒状導光部（黄色）、６ｃは筒状導光部（赤色）である。
【００２２】
図２のとおり、筐体１の内部には、発光素子（緑色、黄色、赤色）４ａ〜ｃが一列に表示灯として配列されている。発光素子４ａ〜ｃはＬＥＤである。これらの発光素子４ａ〜ｃは、筐体１の内部から表示部２に向かって光を発する。具体的には、発光素子４ａは「通電表示（正常作動）：緑色ＬＥＤ」、４ｂは「ＣＯ警報：黄色ＬＥＤ」、４ｃは「ガス警報：赤色ＬＥＤ」であり、それぞれ光を発する。
【００２３】
そして、表示部２において、発光素子４ａ〜ｃに対応したそれぞれの光が表示される。具体的には、表示部（緑色、黄色、赤色）２ａ〜ｃは、発光素子（緑色、黄色、赤色）４ａ〜ｃにそれぞれ対応して一列に表示される。これらの表示によって、警報器の通電状態や警報状態を外部へ表示することができる。なお、表示部２ａ〜ｃには、光を散乱させるためのシボ加工が施されている。
【００２４】
また、発光素子４ａ〜ｃと表示部２ａ〜ｃとの間には、導光部３が設けられている。発光素子４ａ〜ｃからの光は、導光部３を通じて表示部２ａ〜ｃに導かれる。導光部３は、発光素子４ａ〜ｃからの光を他に漏らさず、目標の表示部２ａ〜ｃに光を集光させる機能を担っている。
【００２５】
図２および図３のとおり、導光部３は、表示部付近から発光素子４ａ〜ｃへ向けてそれぞれ突出する筒状導光部６ａ〜ｃを有する。筒状導光部６ａ〜ｃには、発光素子４ａ〜ｃから発せられる光の光路にそれぞれ対応して形成されている。
【００２６】
具体的には、筒状導光部（緑色、黄色、赤色）６ａ〜ｃは、発光素子（緑色、黄色、赤色）４ａ〜ｃとそれぞれ対応して一列に形成されている。筒状導光部６ａ〜ｃの発光素子４ａ〜ｃとの近傍部分には、発光素子４ａ〜ｃからの光を筒状導光部６ａ〜ｃ内部へ導入するための入口部が開口されている。導光部３は、筒状導光部６ａ〜ｃを含めて一体成形で形成されている。また、導光部３（筒状導光部６ａ〜ｃ）は、透明材料で構成されている。
【００２７】
さらに、導光部３の筒状導光部６ａ〜ｃの周囲には、筒状導光部６ａ〜ｃをそれぞれ覆うように遮蔽部材５ａ〜ｃが筐体１の内部構造として形成されている。遮蔽部材５ａ〜ｃも筒形状となっており、それぞれの内部に筒状導光部６ａ〜ｃを嵌合させて収容する。
【００２８】
つまり、本実施例の警報器の表示部の内部構造は、一体成形の導光部３（筒状導光部６ａ〜ｃ）が、筐体１内部に設けられた遮蔽部材５ａ〜ｃに嵌め込まれることによって構成されている。
【００２９】
そして、遮蔽部材５ａ〜ｃは、明度の低い色の材料で構成されている。本実施例では、黒色または灰色である。なお、黒色または灰色とは、マンセル表示系の工業規格（ＪＩＳＺ８７２１）における、マンセル明度Ｖ＝０〜５を意味する。
【００３０】
一方、筐体１の外表面は、警報器の外観色として一般に使用される白またはアイボリーなどの明度の高い色合いが使用されている。なお、筐体１は、外表面が明度の高い色合い（マンセル明度Ｖ＝１０）であり、内部の遮蔽部材５ａ〜ｃが明度の低い色の材料（マンセル明度Ｖ＝０〜５）で構成されているが、このような明度を分ける２色の配色は、２色成型等の一般的な成型手法で１つの部品として実現される。
【００３１】
以上が、本発明の実施例の警報器の構成の説明である。
〔本発明の実施例の警報器の動作：図４および図５（光の伝わり）〕
次に、図４および図５により、本発明の実施例の警報器の動作（光の伝わり）を説明する。
【００３２】
図４は、本発明の実施例の警報器の光の伝わりを示した図である。図５は、本発明の実施例の警報器に拡散率の高い材料を使用した場合の光の伝わりを比較例として示した図である。なお、図４および図５における矢印は、本実施例における発光素子４ａ〜ｃからの光の軌跡を示している。
【００３３】
ガス警報器のセンサ部７が、ガス漏れまたは一酸化炭素（ＣＯ）を検知し、一定濃度以上のガスまたはＣＯを検出すると、制御部が音声と発色光による警報報知を行う。
音声による警報として、発報部８から警報音が出力される。発色光による警報として、筐体１の外表面の表示部２に内部の発光素子４ａ〜ｃからの光を表示される。
【００３４】
発色光による警報について、詳細に説明する。
図４のとおり、発色光による警報において、警報器の通電状態を示す緑色光（発光素子４ａからの光）は表示部２ａに、ＣＯ警報を示す黄色光（発光素子４ｂからの光）は表示部２ｂに、ガス漏れ警報を示す赤色光（発光素子４ｃからの光）は表示部２ｃの位置にそれぞれ表示される。
【００３５】
それぞれの発光素子４ａ〜ｃから発せられる光は、導光部３の各筒状導光部６ａ〜ｃの内部を通って表示部２ａ〜ｃへ各色が表示される。このとき、表示部２ａ〜ｃには光を散乱させるシボ加工処理が施されているため、各色は広い角度で散光表示される。
【００３６】
導光部３（筒状導光部６ａ〜ｃ）には、透明材料が使用されている。そのため、発光素子４ａ〜ｃから発せられた光は、導光部３（筒状導光部６ａ〜ｃ）の内部でほとんど拡散されずに直進し、表示部２ａ〜ｃに到達することができる。図４の矢印（光の軌跡）で示すとおり、隣の色の表示部範囲に光がはみ出して拡散することがない。
【００３７】
また、発光素子４ａ〜ｃから発せられる光が通る光路は、それぞれ遮蔽部材５ａ〜ｃによってセパレートされている。遮蔽部材５ａ〜ｃは光を遮るため、光が隣接する光路に入射することが防止されている。
【００３８】
ここで、図５により、もし仮に本実施例の構成において、従来のような拡散率の高い材料を導光部３（筒状導光部６ａ〜ｃ）に使用したケースについて、比較例として説明する。
【００３９】
図５では拡散率の高い材料を使用しているため、あらゆる場所で拡散が起こってしまう。例えば、図５のＦの地点では、光の拡散が起こっている。このとき、図５の矢印（光の軌跡）から明らかなとおり、通電表示用の発光素子４ａ（緑色）およびガス漏れ警報表示用の発光素子４ｃ（赤色）の発するそれぞれの光が、拡散によってＣＯ警報を表示する表示部２ｂへ伝達されてしまう。そして、緑色と赤色の光とが混合することにより、表示部２ｂに黄色の合成光が発生してしまう。
【００４０】
そのため、利用者等にとっては、ＣＯ警報も同時に表示されているか否かの識別が難しくなってしまう。なお、光の拡散は、図５の導光部３（筒状導光部６ａ〜ｃ）のあらゆる場所で起こっている。上記は、そのうちの地点Ｆを一例として取り上げ、説明したものである。
【００４１】
以上が、比較例の説明である。
続いて、表示部２の内部構造の状態についてさらに説明を行う。
本実施例の導光部３（筒状導光部６ａ〜ｃ）では、透明材料を使用しているため、そのままでは表示部２を通して内部構造が外部から透けて見えてしまう。
【００４２】
ここで、物体の色や形状の認識は、外部からの光の反射によって認識される（ただし、それ自身で発光するような物体は除く）。従って、反射の少ない物体はその形状を認識しづらい。その一方、反射のない物体は、反射のある物体との対比でしか識別できない。
【００４３】
本実施例では、筒状導光部６ａ〜ｃを嵌合するように筒状の遮蔽部材５ａ〜ｃで覆っており、遮蔽部材５ａ〜ｃのみを黒色または灰色（マンセル明度Ｖ＝０〜５）として構成している。
【００４４】
つまり、筒状導光部６ａ〜ｃが、反射率の低い黒色または灰色の遮蔽部材５ａ〜ｃ（筒状）によって覆われているため、筒状導光部６ａ〜ｃ内部における光のコントラストが小さくなっている。従って、導光部３（筒状導光部６ａ〜ｃ）に透明材料を使用した場合であっても、表面部２のシボ加工処理による光拡散の作用だけで、十分に外部に対する目隠しの機能を果たすことができる。
【００４５】
以上が、本発明の実施例の警報器の動作（光の伝わり）の説明である。
〔本実施例の効果〕
かくして本発明の実施例によれば、光を遮る遮蔽部材５ａ〜ｃにより、発光素子４ａ〜ｃの光が通る光路をセパレートしているため、隣接する光の干渉を防止することができる。
【００４６】
また、導光部３に透明材料を使用するため、導光部３の内部における光の拡散を少なくすることができる。さらに導光部３の内部において、近くの光同士の散乱、伝達や光の混合などを防止することができる。
【００４７】
そのほか、導光部３に筒状導光部６ａ〜ｃを形成し、さらに黒色または灰色（マンセル明度Ｖ＝０〜５）の遮蔽部材５ａ〜ｃによってその筒状導光部６ａ〜ｃの周囲を覆う構成であるため、筒状導光部６ａ〜ｃ内部における光のコントラストを小さくすることできる。これにより、表面部２にシボ加工を施し、散光によって透過を遮るだけで筐体１の表面部２の内部構造が外部から透けて見えることを防止できる。
【００４８】
従って、導光部３に透明材料を使用したにもかかわらず、外部から表示部２の内部構造が透けて見えてしまい、見栄えの悪さを生じるということがない。また、目隠し用の部材を別部品として使用する必要もないため、コストの抑制とともに、設計の自由度向上も実現できる。
【００４９】
さらに、一つの導光部３によって光を集光しているため、複数の導光部を製作する必要がなく、コストの抑制を図ることができる。
〔変形例（特に外部から透けて見え易い部分）：図６〕
本発明の実施例の変形例として、筐体１の表面部２の内部構造のうち、特に外部から透けて見え易い部分について、図６により説明する。
【００５０】
図６は、本発明の実施例の変形例を示した図である。
図６において、筒状の遮蔽部材５ａ〜ｃのうち、表示部２までの距離が最も近い箇所であるＥ部は、特に外部から透けて見え易い部分である。
【００５１】
従って、遮蔽部材５ａ〜ｃのうち、このＥ部のみを反射率の低い黒色または灰色（マンセル明度Ｖ＝０〜５）とすることもできる。
その場合には、Ｅ部のみという限られた範囲を反射率の低い黒色または灰色とするだけの簡易な処理により、特に外部から透けて見え易い部分について、目隠しする効果を奏することができる。
【００５２】
〔そのほかの変形例（遮蔽部材５ａ〜ｃについて）〕
本実施例の遮蔽部材５ａ〜ｃは筒状であるが、これに限定されるものではなく、板状などその他の形状であってもよい。板状などその他の形状であっても、黒色または灰色の遮蔽部材によって筒状導光部６ａ〜ｃを囲むことで筒状導光部６ａ〜ｃ内部における光のコントラストを小さくすることができればよい。
【００５３】
また、本実施例では、遮蔽部材５ａ〜ｃと筒状導光部６ａ〜ｃとがぴったり合致するように嵌合された状態で覆われているが、これに限定されるものではない。遮蔽部材５ａ〜ｃと筒状導光部６ａ〜ｃとの間には空間が存在しても構わない。
【００５４】
そのほか、遮蔽部材５ａ〜ｃを、透明ではなく、半透明材料（光拡散率の低い材料）とすれば、表面部２のシボ加工に加えて、さらに目隠し効果を高めることができる。
このとき、半透明とは、一つの導光部の内部において光の拡散を防止することができるものであり、具体的には、図４に示すような光の伝わり方を可能とするものを意味する。
【００５５】
なお、表面部２にシボ加工を施さずに、遮蔽部材５ａ〜ｃに半透明材料を使用した場合であっても、目隠し効果を奏することができる。
【符号の説明】
【００５６】
１        筐体
２ａ〜ｃ  表示部（緑色、黄色、赤色）
３        導光部
４ａ〜ｃ  発光素子（緑色、黄色、赤色）        
５ａ〜ｃ  遮蔽部材
６ａ〜ｃ  筒状導光部（緑色、黄色、赤色）
７        センサ部
８        発報部
【図１】
2013239121.tif 000003
【図２】
2013239121.tif 000004
【図３】
2013239121.tif 000005
【図４】
2013239121.tif 000006
【図５】
2013239121.tif 000007
【図６】
2013239121.tif 000008